(57)【要約】      （修正有）【課題】製造行程を単純化し、コスト及び環境への影響を減少させる喫煙品などのタバコ産業製品のパッケージを提供する。【解決手段】束２２を形成するために積層体２に包まれた一群のタバコ産業製品のパッケージ２７であって、この束２２を含む本体２８および開閉位置間で回転する本体に取り付けられた蓋を有する。積層体２は外層３および内層４を有し、外層３は第１の切れ目５を有し、これによって境界が定められる外層領域を画定し、内層４は第２の切れ目６を有し、これによって境界が定められる内層領域を画定する。外層領域の一部は蓋の内側面３１に貼り付けられ、これにより蓋をその開いた位置に回転させた際に内層領域および外層領域が持ち上げられ、内層４および外層３が第１および第２の切れ目５、６と積層体２に形成される開口部１９との間の周辺領域で離層する。【選択図】図９
0003215711.tif 000002
【実用新案登録請求の範囲】
【請求項１】
束を形成するために積層体で包まれた一群のタバコ産業製品と、この束を含む本体と、開閉位置間で回転する本体に取り付けられた蓋とを含み、
積層体は外層と内層とを含み、外層は第１の切れ目を有し、これはこれによって境界が定められる外層領域を画定し、内層は第２の切れ目を有し、これはこれによって境界が定められる内層領域を画定し、内層領域は外層領域内に位置し、
外層領域の一部は蓋の内側面に貼り付けられ、これにより蓋をその開いた位置に回転させた際に内層領域および外層領域が持ち上げられ、内層および外層が第１および第２の切れ目と積層体に形成される開口部との間の周辺領域で離層するパッケージ。
【請求項２】
積層体は蓋を閉じた位置に回転させた際に前記周辺領域が繰り返し接着するように内層と外層の間に粘着剤を含むことを特徴とする請求項１記載のパッケージ。
【請求項３】
蓋の内側面に貼り付けられる外層領域の部分に対応する積層体の部分は粘着剤が塗布されていないことを特徴とする請求項２記載のパッケージ。
【請求項４】
束は第１および第２の切れ目が延びる縁部を含み、開口部がその縁部に形成されるようにし、この縁部に対応する積層体の領域は粘着剤が塗布されないことを特徴とする請求項２または３記載のパッケージ。
【請求項５】
内層領域および外層領域は永久接着剤を使用して貼り付けられることを特徴とする請求項１乃至４いずれか１項記載のパッケージ。
【請求項６】
内層領域および外層領域を接着する永久接着剤は第２の切れ目に向かう方向に延びるジグザグ状の外形を含むパターンであることを特徴とする請求項５記載のパッケージ。
【請求項７】
外層領域の外面は蓋の内側面に取り付けられることを特徴とする請求項１乃至６いずれか１項記載のパッケージ。
【請求項８】
蓋の内側面に貼り付けられる外層領域の部分はタブを形成するために折り曲げられ、そのタブの内面は蓋の内側面に貼り付けられることを特徴とする請求項１乃至６いずれか１項記載のパッケージ。
【請求項９】
外層領域は折り曲げ線を含み、これに沿ってタブは外層領域の残りの部分に対して曲がることができることを特徴とする請求項８記載のパッケージ。
【請求項１０】
内層および外層は延伸ポリプロピレンを含むことを特徴とする請求項１乃至９いずれか１項記載のパッケージ。
【請求項１１】
積層体は内外層の間に配された第３の層を含み、第１の切れ目または第２の切れ目は第３の層を通って延びることを特徴とする請求項１乃至１０いずれか１項記載のパッケージ。
【請求項１２】
第３の層は金属箔を含むことを特徴とする請求項１１記載のパッケージ。
【請求項１３】
蓋の内側面に貼り付けられる外層領域の部分は、パッケージが開封される際に持ち上げられる内層領域および外層領域が外方に出っ張った形状を形成するように配置されることを特徴とする請求項１乃至１２いずれか１項記載のパッケージ。
【請求項１４】
蓋の内側面に貼り付けられる外層領域の部分は、パッケージが開封される際に持ち上げられる内層領域および外層領域が内方に凹んだ形状を形成するように配置されることを特徴とする請求項１乃至１３いずれか１項記載のパッケージ。
【請求項１５】
第１および第２の切れ目はレーザーで形成されることを特徴とする請求項１乃至１４いずれか１項記載のパッケージ。
【請求項１６】
内層と外層とを含み、外層は外層領域を画定する第１の切れ目を有し、内層は外層領域内に位置する内層領域を画定する第２の切れ目を有する積層体を一群のタバコ産業製品に巻いて束を形成する工程と、
開閉位置間で回転するために取り付けられた蓋を有する本体内に束を挿入する工程と、  外層領域の一部を蓋の内側面に貼り付ける工程とを含むパッケージの製造方法。
【請求項１７】
さらに積層体を一群のタバコ産業製品に巻く前に第１および第２の切れ目を画定するために積層体に切れ目を入れる工程を含むことを特徴とする請求項１６記載の方法。
【請求項１８】
切れ目はレーザーを使用して入れられることを特徴とする請求項１７記載の方法。
【請求項１９】
外層領域の一部を蓋の内側面に貼り付ける工程は、その部分に束の周囲でブランクを折り曲げる前に接着剤コーティングして蓋を形成することを含むことを特徴とする請求項１６乃至１８いずれか１項記載の方法。
【請求項２０】
添付図面を参照して本明細書で実質的に説明されたパッケージ。
【考案の詳細な説明】
【技術分野】
【０００１】
本考案は喫煙品などのタバコ産業製品のパッケージに関する。
【背景技術】
【０００２】
紙巻きタバコのパッケージは本体とヒンジ式蓋を有する板紙から作製される紙パックを含む。本体は蓋を開けた際に紙巻きタバコを取り出しやすくする取り出し開口部を画定する可撓性のバリアー材に包まれた一束の紙巻きタバコを含む。接着剤ラベルを取り出し開口部を画定する可撓性のバリアー材の一部に貼り付けてもよい。ラベルは取り出し開口部を画定するバリアー材の部分に貼り付けられ、これを越えて延びる周辺部を有し、これによりそのバリアー材の部分がラベルがめくられた際にラベルと共に引き抜かれ、取り出し開口部を形成する。バリアー層の上記部分を取り出し開口部に戻し、接着剤ラベルの上記周辺部が取り出し開口部を囲むバリアー材に貼り付けられるようにラベルを降ろすことによって取り出し開口部を繰り返し閉じてもよい。
【考案の概要】
【０００３】
本考案の実施態様では束を形成するために積層体で包まれた一群のタバコ産業製品と、この束を含む本体と、開閉位置間で回転する本体に取り付けられた蓋とを含み、積層体は外層と内層とを含み、外層は第１の切れ目を有し、これはこれによって境界が定められる外層領域を画定し、内層は第２の切れ目を有し、これはこれによって境界が定められる内層領域を画定し、内層領域は外層領域内に位置し、外層領域の一部は蓋の内側面に貼り付けられ、これにより蓋をその開いた位置に回転させた際に内層領域および外層領域が持ち上げられ、内層および外層が第１および第２の切れ目と積層体に形成される開口部との間の周辺領域で離層する。
【０００４】
積層体は蓋を閉じた位置に回転させた際に前記周辺領域が繰り返し接着するように内層と外層の間に粘着剤を含んでもよい。
【０００５】
蓋の内側面に貼り付けられる外層領域の部分に対応する積層体の部分は粘着剤が塗布されてなくてもよい。
【０００６】
束は第１および第２の切れ目が延びる縁部を含み、開口部がその縁部に形成されるようにしてもよい。上記縁部に対応する積層体の領域は粘着剤が塗布されてなくてもよい。
【０００７】
内層領域および外層領域は永久接着剤の領域を使用して貼り付けてもよい。
【０００８】
内層領域および外層領域を接着する永久接着剤は第２の切れ目に向かう方向に延びるジグザグ状の外形を含むパターンであってもよい。
【０００９】
第１の例では外層領域の外面は蓋の内側面に取り付けてもよい。
【００１０】
第２の例では蓋の内側面に貼り付けられる外層領域の部分はタブを形成するために折り曲げられてもよく、そのタブの内面は蓋の内側面に貼り付けられる。
【００１１】
外層領域は折り曲げ線を含んでもよく、これに沿ってタブは外層領域の残りの部分に対して曲がることができる。
【００１２】
内層および外層は延伸ポリプロピレンを含んでもよい。
【００１３】
積層体は上記内外層の間に配された第３の層を含んでもよく、第１の切れ目または第２の切れ目は第３の層を通って延びる。
【００１４】
第３の層は金属箔を含んでもよい。
【００１５】
１つの例では蓋の内側面に貼り付けられる外層領域の部分は、パッケージが開封される際に持ち上げられる内層領域および外層領域が外方に出っ張った形状を形成するように配置されてもよい。
【００１６】
別の例では蓋の内側面に貼り付けられる外層領域の部分は、パッケージが開封される際に持ち上げられる内層領域および外層領域が内方に凹んだ形状を形成するように配置されてもよい。
【００１７】
第１および第２の切れ目はレーザーで形成してもよい。
【００１８】
本考案の実施態様ではパッケージの製造方法が提供され、この方法は、
内層と外層とを含み、外層は外層領域を画定する第１の切れ目を有し、内層は外層領域内に位置する内層領域を画定する第２の切れ目を有する積層体を一群のタバコ産業製品に巻いて束を形成する工程と、
開閉位置間で回転するために取り付けられた蓋を有する本体内に束を挿入する工程と、
外層領域の一部を蓋の内側面に貼り付ける工程とを含む。
【００１９】
本考案の方法はさらに積層体を一群のタバコ産業製品に巻く前に第１および第２の切れ目を画定するために積層体に切れ目を入れる工程を含んでもよい。
【００２０】
切れ目はレーザーを使用して入れてもよい。
【００２１】
外層領域の一部を蓋の内側面に貼り付ける工程は、その部分に束の周囲でブランクを折り曲げる前に接着剤コーティングして蓋を形成することを含んでもよい。
【図面の簡単な説明】
【００２２】
添付図面を参照して本考案の実施態様をあくまで例示を目的として説明する。
【００２３】
【図１】ラッパーの第１の面を示す。
【図２】図１のラッパーの反対の面を示す。
【図３】不完全に開いた状態の図１および２のラッパーを示す。
【図４ａ】異なる積層体材を有する図１〜３のラッパーの部分断面図である。
【図４ｂ】異なる積層体材を有する図１〜３のラッパーの部分断面図である。
【図５】図１〜４ｂのラッパーから形成された包装された束を示す。
【図６】閉じた状態の図５の包装された束を含むパッケージの第１の例の断面図である。
【図７】開いた状態の図６のパックの別の断面図である。
【図８】閉じた状態の図５の包装された束を含むパッケージの第２の例の断面図である。
【図９】開いた状態の図８のパッケージの別の断面図である。
【図１０】ラッパーの別の例を示す。
【図１１】図１０のラッパーを使用して形成された包装された束を含むパッケージを示す。
【図１２】パターン化された粘着剤を有する別のラッパーを示す。
【図１３】パターン化された粘着剤を有するさらに別のラッパーを示す。
【図１４】パターン化された永久接着剤を有するさらに別のラッパーを示す。
【図１５】パターン化された永久接着剤を有するさらに別のラッパーを示す。
【考案を実施するための形態】
【００２４】
本明細書で説明するバリアー材またはラッパーの種々の例は、一群の物品、例えば紙巻きタバコなどの一群のタバコ産業製品にラッパーを巻くことによって包装された束を形成するためのものである。ラッパーは、積層体を含み、これは包装された束から紙巻きタバコを取り出すための開口部が形成されるように一連の切れ目を有する。これらの切れ目はさらにカバーフラップを画定し、これはラッパーの積層体の１つ以上の層から一体に形成され、形成される開口部を繰り返し覆うために使用することができる。包装された束はヒンジ蓋付きパッケージに収容され、積層体材の一部が蓋に貼り付けられ、蓋を開いたり、閉じたりすると同時にカバーフラップを開いたり、閉じたりする。
【００２５】
積層体材に入れられた切れ目から開口部およびカバーフラップを形成することによって、開口部を覆う別のカバーラベルを設ける必要がなくなる。このことは別個のラベルを取り付けるさらなる工程を必要としないので製造工程を単純化する。さらに積層されたラッパー自体の一部から形成されたラベル以外に別のラベルが存在しないので、別のラベルのパッケージの他の特徴部に対する位置合わせに関する問題はない。追加のラベルが無いことはパッケージに必要とされる材料の量も減らすことになり、コストおよび環境への影響を減少させることができる。
【００２６】
図４ａおよび４ｂを参照して詳しく説明するようにバリアー材またはラッパーを形成する積層体材２は２つ以上の層を有する。本明細書で説明する実施態様ではラッパー１の積層体材２は第１の内層３と第２の外層４を有し、ラッパーが一群の紙巻きタバコに巻かれると、第１の層３は紙巻きタバコから離れる方に向く包装された束２２の外側に配置され、第２の層は紙巻きタバコの方に向いた包装された束２２の内側に位置する。
【００２７】
積層体材２には外層３に第１の切れ目５そして内層４に第２の切れ目６が設けられている。添付図面中の第１および第２の切れ目５、６は、図示した面の積層体材２の層にある場合、実線で示し、図示した面と反対の面の積層体材２の層にある場合、破線で示している。
【００２８】
図１は積層体材２の外層３の面からのラッパー１を示している。図２は積層体材２の内層４に面からの同じラッパー１を示している。
【００２９】
図１および２を参照すると、第１の切れ目５は積層体材２の外層３に設けられている。第１の切れ目５は積層体材２の外層３を通ってまたは実質的に通って延びている。第１の切れ目５は積層体材２の内層４内には延びていない。
【００３０】
積層体材２の第１の切れ目５は図１に示すように外層３で第１の領域８の境界を定める。第１の切れ目５は底縁部９、対向する側縁部１０およびこれら対向する側縁部１０から延びた部分的に延びた上縁部１１を有する。従って、外層３の第１領域８は上縁部１１を横断して積層体材２の外層に貼りついたままであり、上縁部はラッパーが以下に説明するように開封されるとヒンジとして機能する。
【００３１】
第２の切れ目６は積層体材２の内層４に製せられる。第２の切れ目は積層体材２の内層４を通ってまたは実質的に通って延びている。第２の切れ目６は積層体材２の外層内には延びていない。
【００３２】
積層体材２の第２の切れ目６は図２に示すように内層４に第２の領域１２の境界を定める。第２の切れ目６は、第１の切れ目５の底縁部９および対向する側縁部１０とそれぞれ平行で、第１の切れ目５の底縁部９および対向する側縁部１０からオフセットしている底縁部１３と対向する側縁部１４を有する。第２の切れ目もまた対向する側縁部１４で丸みを帯びた端部３７を含む。丸みを帯びた端部３７は第１の切れ目５の不完全な上縁部１１に隣接している。
【００３３】
第２の切れ目６は、第２の切れ目６が第１の切れ目５によって画定されている境界内に全体が配置されるように第１の切れ目５に対してオフセットしている。従って第２領域１２は第１領域８より小さく、その中に配置される。積層体材２内に形成された切れ目５、６は互いに間隔が空けられ、第１および第２の切れ目５、６の間に周辺領域を画定するように第２の切れ目６の縁部１３、１４は第１の切れ目５の縁部９、１０、１１から内方にオフセットしている。
【００３４】
積層体材２の外層３の第１領域８と同じように内層４の第２領域１２は上縁部を横断して積層体材２の内層４の残りの部分に貼りついたままであり、上縁部は第２の切れ目６の丸みを帯びた端部３７と同一線上にある。
【００３５】
領域８によって画定された外層３の底部は外層３にタブ領域１７を形成する。タブ領域１７は第１の切れ目５の底縁部９に隣接して位置している。
【００３６】
図３は積層体材２の外層３の側から見た図１および２のラッパー１を示す。図に示すように積層体材２の第１および第２領域８、１２を持ち上げた際、これら領域が第１および第２の切れ目線５、６に沿って積層体材２の残りの部分から分離される。このようにして積層体材２の第１および第２領域８、１２は積層体材２の残りから持ち上げられ、カバーフラップ２０と開口部１９を形成する。
【００３７】
第１および第２領域８、１２が第２領域１２内で重なる場合、内外層３、４はそれらの接着により貼り付けられたままである。第１および第２の切れ目５、６間の周辺領域１５では積層体材１２の内外層３、４は離層されるまたは分離される。
【００３８】
従って、第１および第２領域８、１２が持ち上げられた際に積層体材２に形成される開口部１９の境界は第２の切れ目６によって画定される。
【００３９】
開封した際、積層体材２の第１および第２領域８、１２は開口部１９を閉じるために繰り返し配置可能なカバーフラップ２０を形成する。
【００４０】
本例では粘着または「繰り返し粘着」剤が積層体材２の内外層３、４間に設けられる。従って、カバーフラップ２０が開口部１９上に再度配置されると、内外層３、４は剥離が起こった周辺部１５に再度貼り付く。
【００４１】
好ましくは開封時に粘着剤が内層４ではなく、外層３に残り、外層３と内層４の間で広がらないように粘着剤は外層３に設けられる。このようにして粘着剤はカバーフラップ２０に残り、開口部１９の周囲で延びる内層４の周辺領域は実質的に接着剤を含まない。
【００４２】
他の例では使い切りであるが剥離可能な接着剤を積層体材２の内外層３、４の間に設けてもよい。このようにして閉じた際にカバーフラップ２０が開口部１９上に再度配置されるが、積層体材２に再度接着されない。
【００４３】
上述の積層体材２の異なる層のオフセットされた第１および第２の切れ目５、６を組み合わせることで封止が複雑になり、これは空気または他の気体または液体または蒸気などの流体が通過するのを妨げるまたは実質的に妨げる。即ち、流体は第１または第２の切れ目の１つを通過し、それから積層体２の層３、４の間を通過し、その領域に設けられた接着剤を通過し、それから他の切れ目５、６を通過しなければならなくなる。従って、この構成により確実にラッパー１が最初の開封前および再度閉じた後の両方で効果的なバリアーになる。
【００４４】
上述の実施態様のそれぞれにおいてタブ領域１７に図１に示すように任意に折り曲げ線２６が設けられる。特にタブ領域１７は折り曲げ線２６によって第１領域８の残りの部分から分離してもよい。折り曲げ線２６は刻み線、ミシン目線または他の弱化部を含んでもよく、これは外層３が積層体材２の残りの部分に対してより簡単に曲がる線を供する。しかしながら、当然のことながら積層体材２自体は可撓性の材料であり、よって折り曲げ線２６は積層体材２屈曲する場所を調整しやすくする任意の特徴である。
【００４５】
図４Ａおよび４Ｂは図１〜３を参照して説明したラッパー１の部分断面図であるが、異なる積層体材２を使用している。
【００４６】
図４Ａは図１〜３の例を参照して具体的に説明したように２つの層を有する積層体材３を有するラッパー１の断面を示している。即ち、積層体材２は内層４に結着された（積層された）外層３を有する。
【００４７】
第１の切れ目５は外層３に設けられ、第２の切れ目６は内層４に設けられ、第１および第２の切れ目５、６は上述のようにオフセットしている。
【００４８】
図４Ａに示すように内外層３、４の間の上述の周辺領域１５は第１および第２の切れ目５、６の間に画定される。
【００４９】
図に示すようにオフセットした第１および第２の切れ目５、６の構成により複雑なバリアーが供され、これを介して物質はラッパー１を使用して形成された包装された束に入るまたは出るために通過しなければならなくなる。
【００５０】
図４Ｂは外層３、内層４および第３の層２１を有する積層体材２を有するラッパーの別の例を示している。第３の層２１は内外層３、４間に配され、内外層３、４は第３の層２１の対向する面に結着されている（積層されている）。
【００５１】
図示の例では外層３と第３の層２１は粘着「繰り返し粘着」剤を使用して接着され、内層４と外層３は永久接着剤を使用して接着される。第１の切れ目５は外層３に設けられ、第２の切れ目６は内層４と第３の層２１の両方に設けられている。第１および第２の切れ目５、６は上述のようにオフセットしている。
【００５２】
図４Ｂに示すようにこの例では第１および第２の切れ目５、６の間の周辺領域１５は外層３と第３の層２１の間に形成されている。当然のことながらこの例では周辺領域１５の内外層３、４はカバーを閉じた際に互いに再度貼り付けられるが、この場合第３の層２１は外層３が第３層２１に直接貼り付けられ、従って内層４に間接的に貼り付けられるように配置される。
【００５３】
図４Ｂの例とは類似の別の例では外層３および第３の層２１は、永久的に貼り合わされ、内層４および第３の層２１は粘着剤を使用して貼り合わされる。この場合第１の切れ目５は外層３および第３の層２１に設けられ、第２の切れ目６は内層４のみに設けられる。第１および第２の切れ目５、６は上述のようにオフセットしている。
【００５４】
当然のことながら積層体材２は上述の方法と類似の方法で貼り合わされた４つ以上の層を有してもよく、第１および第２の切れ目５、６は、それぞれこれらの層の１つ以上に設けられる。
【００５５】
各層はポリマー、延伸ポリマー、金属箔、例えばアルミニウム箔、金属化ポリマーまたはパッケージとして使用するための他の類似の可撓性材料の１つ以上を含んでもよい。
【００５６】
層はラッパーを開いたり、閉じたりした際にこれらの層が分離しないようにこれらの層を強固に貼り合わせる接着剤である永久接着剤を使用して永久的に貼り合わせてもよい。
【００５７】
粘着剤は積層体材２の層を剥離した後互いに再度貼り合わされるようにする。粘着剤は、周辺領域１５の積層体材２の層を剥がしたり、再度貼り付けたりするために複数回使用できるように非乾燥性の永久的に粘着性を有する接着剤である。
【００５８】
好ましい例では積層体材２は３つの層を含み、内外層３、４は延伸ポリプロピレン（ＯＰＰ）であり、これらの間に配される第３の層２１はアルミニウム箔で製せられる。
【００５９】
いくつかの例ではＯＰＰ内外層３、４は１０ミクロン〜５０ミクロンの厚さを有する。
【００６０】
１つの例ではＯＰＰ層は好ましくは１０ミクロン〜３０ミクロン、より好ましくは約２０ミクロンの厚さを有する。これにより第１および第２の切れ目５、６を介して流体が進入するのを妨げるための適切な封止となることが分かっている。
【００６１】
別の例ではＯＰＰ内外層３、４は３０ミクロン〜５０ミクロン、より好ましくは４０ミクロンの厚さを有する。これにより使用する材料を制限しつつ、繰り返し開いたり、閉じたりする際に積層体材２に充分な剛性を与えることが分かっている。
【００６２】
いくつかの例ではアルミニウム箔は５ミクロン〜２０ミクロン、好ましくは５ミクロン〜１５ミクロン、より好ましくは約９ミクロンの厚さを有する。
【００６３】
第１および第２の切れ目は、機械的カッターを使用して予め決めておいた制限された切れ目深さに積層体材２に形成することができる。即ち、機械的カッターは上述の方法で特定の層に切れ目を入れそれ以外の層には入れないようになっている。このような方法は、ダイカッティングまたはキスカッティングとして知られている。
【００６４】
これとは別に第１および第２の切れ目５、６はレーザーを使用して形成することができる。例えば、第１のレーザーは外層３に切れ目を入れるが内層４には切れ目を入れないように構成することができ、第２のレーザーは内層４に切れ目を入れるが、外層３には入れないように構成することができる。これらレーザーの一方は第３の層２１に切れ目を入れるように構成してもよい。従って、レーザーは特に図４ａおよび４ｂを参照して説明した上述の方法のいずれかで積層体材２の層に切れ目を入れるように構成することができる。
【００６５】
好ましい実施態様では積層体材２は、図４ｂに例示したように延伸ポリプロピレン（ＯＰＰ）で製せられた内外層３、４と金属箔、例えばアルミニウム箔で製せられた第３の層２１を含む。この場合にはレーザーを使用して第１および第２の切れ目５、６を形成することができる。
【００６６】
ＯＰＰに切れ目を入れることができる第１のレーザーは、外層３の面から外層３に第１の切れ目５を形成する。第１のレーザーはアルミニウム箔の第３の層２１に切れ目を入れることができないので、第１の切れ目５は外層３に限定される。
【００６７】
アルミニウム箔に切れ目を入れることができる第２のレーザーは、内層４の側から内層４と第３の層２１に第２の切れ目を形成することができる。第２の切れ目６を形成する際、第２のレーザービームが内層４を通過し、第３の層２１（アルミニウム箔）に入射し、第３の層２１を切断し、そのエネルギーの一部が内層４の方に反射し、内層４にも切れ目を入れる。従って、第２のレーザーは第３の層２１と内層２１にのみ切れ目を形成する。
【００６８】
第１および第２のレーザーは切断される材料、この例では延伸ポリプロピレンおよび／またはアルミニウム箔に適した波長および電力を選択することによって上述のように構成することができる。
【００６９】
当然のことながら他のパッケージ材にレーザーで切れ目を入れることができ、上記は好ましい実施態様に過ぎない。特にレーザーはＯＰＰの単独層のみに切れ目を入れ、ＯＰＰの隣接する層には入れないように適当な波長および電力で構成することができる。従って、レーザーカッティングは図４ａを参照して説明した２層積層体材２に第１および第２の切れ目を入れるためにも使用可能である。
【００７０】
積層体材２の第１および第２の切れ目５、６は積層体材２の関連する層全体を介してそれぞれ延びてもよい。これとは別に切れ目５、６は積層体材２の関連する層の一部を介してのみ延びてもよく、その層の残りはタブ領域１７を引っ張った際に裂けて開口部を形成する。ポリプロピレン繊維は裂けやすくするように裂ける方向に延伸することができる。
【００７１】
図５は一群の紙巻きタバコを上述のラッパー１で巻くことによって作製された紙巻きタバコを含む包装された束２２を示す。紙巻きタバコは向きが整えられて配置され、ラッパー１で包まれる長尺の円筒状の物品である。図に示すようにラッパー１は一群の紙巻きタバコの周囲で折り曲げられ、第１および第２の切れ目５、６は包装された束２２の前面２５から延び、前縁部４１を越えて包装された束２の１つの端面２３へと延びている。包装された束２２の端面２３は、開口部が形成された際に（１９、図３参照）、紙巻きタバコが包装された束２２から長さ方向に取り出せるように紙巻きタバコの端部に対応する。特に包装された束２２の端面２３は紙巻きタバコがフィルターから取り出せるように紙巻きタバコのフィルター端部に対応する。
【００７２】
図示するように第２の切れ目６の丸みを帯びた端部３７は開口部１９が後縁部３８を越えて延びないように包装された束２２の端面２３に位置する。
【００７３】
別の例では第２の切れ目６は、包装された束２２の後縁部３８を越えて、前面２５とは反対の包装された束２２の後面３９へと延びる。このようにして開口部（１９、図３参照）が形成されると、開口部は包装された束２２の端面全体に亘って延びる。
【００７４】
当然のことながら開口部（１９、図３参照）は第２の切れ目６の丸み帯びた端部３７（図２参照）の延長部に形成される。
【００７５】
図５に示す例ではラッパー１の端部２４は一群の紙巻きタバコの側部に対して折り曲げられている。これらの折り曲げられた端部２４は、紙巻きタバコの封止包装された束２２を形成するために、例えば誘電封止法、加熱封止法、フィン封止法または接着剤を使用して封止することができる。
【００７６】
図６および７は図５の包装された束２２を含むヒンジ蓋付きパッケージ２７を示している。ヒンジ蓋付きパッケージ２７は、本体部２８を含み、包装された束２２が本体部２８の開口端部２９から突出するように包装された束２２がこの中に収容される。パッケージ２７は本体部分２８にヒンジ式に取り付けられた蓋３０も有する。図６に示す閉じた状態では蓋３０は包装された束２２の突出した端部を覆い、図７に示す開いた状態では包装された束２２の突出した端部が露出し、触れることができる。
【００７７】
図６および７に示した例では積層体材２の一部は蓋３０の内側面３１に貼り付けられる。このようにして蓋３０を操作することは包装された束２２上のカバーフラップ２０を同時に操作することになり、開口部１９を開いたり、閉じたりする。
【００７８】
蓋３０は後壁３４を含み、これはヒンジ３５の周囲で本体２８にヒンジ式に取り付けられる。また蓋２０は後壁３０とは反対の積層体２が貼り付けられる前壁３６を有する。
【００７９】
この例では図６に示すように積層体２の外層３のタブ領域１７は接着剤３２によって蓋３０の内側面３１に直接接着される。従って、蓋３０を図７に示すように開いた位置に回転させると、蓋３０は外層３のタブ領域１７そして内外層４、３の第１および第２領域８、１２も引っ張り、開口部を形成する。
【００８０】
図７に示す開いた位置ではタブ領域１７は蓋３０が開いた位置に回転させてタブ領域上に折りたたまれている。このようにして積層体材２の第１および第２領域８、１２によって形成されたカバーフラップ２０は図に示すように開いた位置で蓋３０から突出した凸形状を形成する。従って、蓋３０を開ける際、カバーフラップ２０が徐々に積層体材２の残りから剥がされ、蓋３０を閉じる際に徐々に再度貼り付けられる。
【００８１】
積層体材２が任意の折り曲げ線２６（図１参照）を含む場合、積層体材２、特に外層３は蓋３０が開けられる際にその折り曲げ線２６に沿って折り曲げられる。
【００８２】
当然のことながらこの例ではタブ１７は図７に示すように線に沿ってそれ自体の上に折りたたまれなくてもよく、代わりに弧状に変形してもよい。これは積層体材２に図１に示すような任意の折り曲げ線２６が設けられているか否かによって変わる。
【００８３】
ラッパー１に上述したように粘着剤が設けられている場合、この徐々に剥がれる作用が確実に積層体材２の層を周辺領域１５で互いに再度貼り合わされるようにする。
【００８４】
粘着剤は、開封した後、粘着剤が積層体材２の外層の残りの部分に残るように配置される。即ち、粘着剤は積層体材２が積層体を形成るために内層４（および他の層）を貼り付けて形成される前に外層３に設けられる。
【００８５】
従って、蓋を再度閉じると、周辺領域１５の外層３および内層４が外層３上の粘着剤によって互いに再度接着される。
【００８６】
図８および９に示す別の実施態様ではタブ領域１７はその上に折り返され、蓋３０の内側面３１に接着される。図８に示すように外層３のタブ領域１７は折りたたまれ、蓋３０の内側面３１に接着されている。
【００８７】
従って、蓋３０が開けられると、蓋３０は外層３と内層４の第１および第２領域８、１２を引っ張り、図９に示すようにラッパーにカバーフラップ２０と開口部１９を形成する。カバーフラップ２０は外方に飛び出た形状を形成し、タブ領域１７の折り曲げ構造により図６および７の実施態様に対して大きさが大きくなっている。
【００８８】
このカバーフラップ２０の外方に飛び出た形状により蓋３０が開いたり、閉じたりした際に徐々にカバーフラップ２０を剥がしたり、再度貼り付けたりする。ラッパー１に上述したように粘着剤が設けられている場合、この徐々に剥がれる作用により確実に蓋３０を閉じた際に積層体材２の層が互いに再度貼り合わされる。
【００８９】
図１０に示す別の実施態様では積層体材２は画定されたタブ領域１７を持たず、外層３の別の部分を蓋３０の内側面３１に接着させてもよい。例えば、積層体材２の外層と蓋３０の内側面３１との貼り付けは図１０に示す領域３３で行ってもよい。領域３３は、貼り付けの領域が少なくとも部分的に積層体材２の第１および第２領域８、１２と重なるように第１および第２の切れ目５、６と重なる。
【００９０】
この場合、外層３は蓋３０を開いたり、閉じたりした際に折り曲げたり、変形したりせず、つまりカバーフラップ２０がパッケージ２７を図１１に示すように開いた際に内方に凹んだ形状を維持する。
【００９１】
特に積層体２が第１領域８の底縁部９に隣接する領域３３を越えて蓋３０の内側面３１に貼り付けられるので、カバーフラップ２０は蓋が開けられると剥がれず、積層体材２の残りの部分から引っ張られる。
【００９２】
カバーフラップ２０の内方に窪んだ形状は、蓋３０を開いた際にカバーフラップ２０が全体的に蓋３０内に配置されるので、積層体２の開口部１９から取り出しやすくするという点で有利である。
【００９３】
上述の例のそれぞれにおいて、積層体材２にはその層３、４、２１の間に接着剤が設けられている。１つの例では内層４と第３の層２１は永久的にそれら全領域に亘って貼りあわされており、外層３は第３の層２１にそれらの全領域に亘って粘着剤によって貼り付けられている。
【００９４】
他の実施態様では積層体材２の層３、４、２１間の接着剤はパターン化されてもよい。
【００９５】
図１２ａは図１および２を参照して説明したのと同じように第１および第２の切れ目５、６を有する外方層３および内方層４を有する別のラッパー１を示している。この場合、内外層３、４の間に設けられた粘着剤は積層体材２のタブ領域１７に粘着剤が設けられないようにパターン化される。特に図１２に示すように領域４０は内外層３、４の間に粘着剤が塗布されていない。
【００９６】
図示するようにこの粘着剤が塗布されていない領域４０は製作公差によって生じるかもしれない粘着剤のプリントまたはラッパー１の特徴部の位置合わせの僅かな誤差にかかわらず、タブ領域１７が確実に粘着剤を含まないように第１領域８の縁部に重なる（即ち、第１の切れ目を越えて延びる）。
【００９７】
この例では第１および第２領域８、１２が持ち上げられて開口部１９を形成する際（図３参照）、積層体材２は周辺領域１５全体において離層されるが、タブ領域１７はこの領域に粘着剤が塗布されていないので離層するのに力を必要としない。
【００９８】
図１２ａに示すようにこの例では粘着剤はそれが完全に第２の切れ目６を囲むように配置され、タブ領域１７だけが粘着剤が塗布されない。このようにカバーフラップ（２０、図３参照）は、取り出し開口部全体の周囲で積層体材２の残りの部分に再度貼り付けることができる。
【００９９】
しかしながら、他の実施態様では粘着剤は、周辺領域１５の他の部分を含む積層体材２の他の領域も粘着剤を含まないようにパターン化してもよい。
【０１００】
図１２ｂに示す別の例では粘着剤を含まない領域４０は第２の切れ目６を越えて延びている。このようにして粘着剤は周辺領域１５の周囲を完全に延びていない。このような構成は最初にカバーフラップ３０を開くために必要とされる力を減少させる。
【０１０１】
他の例では積層体材２のいくつかの領域は接着剤の少なくとも１つを含まなくてもよく、または接着剤のコーティング量を層３、４、２１の間の領域に亘って変えてもよい。
【０１０２】
図１３に示すようにラッパー１の別の実施態様では粘着剤を包装された束２２（図５参照）の前縁部４１（図５参照）に対応する領域４２で省略してもよい。このようにしてカバーフラップ２０を開いたり、閉じたりする際にカバーフラップは粘着剤によって引っ張られたり、変形したりせずに前縁部４１に亘って滑らかに移動することができる。
【０１０３】
前縁部領域４２で粘着剤を省略することで蓋３０を操作する際のカバーフラップ２０の開閉動作を向上させることができる。蓋３０を開く際、粘着剤を含まない領域４２は、特にカバーフラップ２０が包装された束２２の前縁部４１を横断して延びている場合、確実にカバーフラップ２０が積層体材２の残りの部分から滑らかにかつ簡単にめくれるまたは剥がれるようにする。
【０１０４】
図１３は２つの別個の粘着剤を含まない前縁部領域４２を示し、これらは開口部（１９、図３参照）の両側に１つずつある。しかしながら、当然のことながらラッパー１の幅を横断して延びる１つの粘着剤を含まない領域を設けてもよい。
【０１０５】
他の実施態様では粘着剤を積層体材２の周辺領域１５の他の領域から省略してもよい。
【０１０６】
また当然のことながら粘着剤のみをこれらの領域４２で省略し、積層体材２の他の層の間の永久接着剤はそのままである。
【０１０７】
図１４に示す別の実施態様では、積層体材２に第２領域１１２、特にカバーフラップ２０を形成する２つの層の間で（即ち図４ｂに示した例において外層３と第３の層２１との間で）永久接着剤領域４３を設けてもよい。このようにして第２領域１２は、カバーフラップ２０を開閉する際にカバーフラップ２０から外れないようにする。
【０１０８】
図１４に示すように、永久接着剤領域４３は、確実に永久接着剤領域４３が第２の切れ目６の縁部１３、１４のいずれを越えて周辺領域１５内に延びないように第２の切れ目６の縁部１３、１４から僅かにオフセットしてもよい。永久接着剤領域４３が周辺領域１５内に延びると、周辺領域１５で積層体材２を離層するのに余分な力を必要とし、ラッパー１を開封しにくくする。
【０１０９】
別の実施態様では積層体材２の外層３および内層４の間に設けられた粘着剤は積層体材２の第２の領域に積層体材２の残りの領域と比較して増量したコーティング量の粘着剤が設けられるようにパターン化してもよい。
【０１１０】
コーティング量が増量された粘着剤のこの領域は図１４を参照して説明したのと同じ領域４３に設けられる。
【０１１１】
この増量した粘着剤のコーティング量により接着が強固になり、カバーフラップ２０を開けた際に第２の領域が外層３から外れないようにする。
【０１１２】
粘着剤のコーティング量は、積層体材２の積層時に粘着剤を膜にプリントする方法によって決められる。例えば、粘着剤は外層３に他の層と積層される前にその領域に異なるコーティング量でグラビア印刷してもよい。
【０１１３】
図１５に示すようにこれとは別に永久接着剤領域４３を第２の切れ目６の底縁部１３の方に延びた一連のジグザグ形状の突出部４４のパターンで設けてもよい。
【０１１４】
このように第１および第２の切れ目５、６と永久接着剤領域４３が若干不正確に位置合わせされると、周辺領域１５内に位置する永久接着剤領域４３の量はジグザグ形状の突出部の先端によって画定される小さい領域のみに制限される。従って、周辺領域１５は、最小限の力が少量の重なった永久接着剤を破断させるのに必要とされるのでカバーフラップ２０を開いた際にそれでも離層させることができる。
【０１１５】
当然のことながらさらにまたはこれとは別に上述のものと類似のジグザグ形状の突出部４４が永久接着剤領域４３から第２の切れ目６の側縁部１４の方に延びてもよい。
【０１１６】
また当然のことながら積層体材２に上述のように増量したコーティング量の粘着剤領域が設けられている場合、図１５を参照して説明したジグザグ形状の突起４４は増量したコーティング量の粘着剤のジグザグ形状の突起４４であってもよい。コーティング量を増量した領域は、その位置で外層３と内層４の間に強い結合をもたらし、ジグザグ状の突出部４４はコーティング量を増量した領域と周辺領域１５との重なりを制限する。
【０１１７】
当然のことながらラッパー１の積層体材２には図８および１３〜１５を参照して説明した接着剤パターンを任意に組み合わせて設けてもよい。
【０１１８】
１つの特定の例では積層体材２に図８の粘着剤を含まない領域４０並びに図１４または１５の永久接着剤領域４３が設けられる。加えて積層体材２は任意に図１３の粘着剤を含まない領域４２を含んでもよい。
【０１１９】
上述の実施態様ではパッケージ２７は、最初にタバコ産業製品をラッパー１で包んで包装された束２２を形成し、それからこの包装された束２２の周囲でパッケージ本体部分２８と蓋３０を折り曲げることによって製造してもよい。包装された束２２を包んだ後で、包装された束２２に周囲に蓋３０を形成する前に永久接着剤を蓋３０の内側面に貼り付けられる積層体材２の部分に設けてもよい。従って、蓋が包装された束２２に対して折り曲げられると、永久接着剤は積層体材２の関連部分を蓋３０の内側面３１に接合する。
【０１２０】
本明細書中で使用する「喫煙品」なる用語は、タバコ、タバコ派生物、膨張タバコ、再生タバコまたはタバコ代替え品をベースにしているかに関係なく紙巻きタバコ、シガーおよびシガリロなどの喫煙可能な製品を含む。本明細書に記載したパッケージは、非燃焼加熱（ｈｅａｔ−ｎｏｔ−ｂｕｒｎ  （ＨｎＢ））製品とも呼ばれるタバコ加熱製品（ｔｏｂａｃｃｏ  ｈｅａｔｉｎｇ  ｐｒｏｄｕｃｔｓ  （ＴＨＰｓ））および電子タバコを含むエアロゾル発生装置などの他のニコチン送出製品用に使用してもよい。特にパッケージはタバコ加熱製品または電子タバコの消耗品を梱包するために使用してもよい。喫煙品には喫煙者によって吸引される気体流用のフィルターを設けてもよい。
【０１２１】
タバコ産業製品はタバコ産業で製造されるまたは販売されるあらゆる品目を意味し、通常はａ）紙巻きタバコ、シガリロ、シガー、パイプまたは手巻きタバコ用のタバコ（タバコ、タバコ派生物、膨張タバコ、再生タバコまたはタバコ代替え品をベースにしているか否かに関係なく）、ｂ）タバコ、タバコ派生物、膨張タバコ、再生タバコまたはタバコ代替え品を組み込んだ嗅ぎタバコ、スヌース、ハードタバコなどの非喫煙製品および非燃焼加熱（ＨｎＢ）製品とも呼ばれるタバコ加熱装置（ｔｏｂａｃｃｏ  ｈｅａｔｉｎｇ  ｄｅｖｉｃｅｓ  （ＴＨＤｓ））およびｃ）吸入器、電子タバコなどのエアロゾル発生装置、トローチ剤およびガムなどのタバコのニコチン送出システムを含む。この例はこれ以外のもの排除するものではなく、単にタバコ産業で製造、販売されている一連の製品を例示しているに過ぎない。
【０１２２】
種々の問題の対処と技術の発展のため、本開示全体は種々の実施形態を例示的に示しており、これらの実施形態では実用新案登録請求された考案が実践され、優れたタバコ産業製品用パッケージを提供することができる。本開示の利点および特徴は実施形態の単なる代表的な具体例であり、包括的でも排他的でもない。これらは実用新案登録請求された特徴の理解と教示の単なる補助に提供されている。当然だが、本開示の利点、実施形態、具体例、機能、特徴、構造、および／または他の側面は本開示を実用新案登録請求の範囲に規定されたとおりに限定するあるいは実用新案登録請求の範囲の均等物に限定すると考えるべきではなく、本開示の範囲および／または思想から乖離することなく他の実施形態を利用しても改変してもよいと考えるべきである。種々の実施形態は、開示された構成要素、成分、特徴、部品、工程、手段他の組合せを適切に備えても、これらで構成されても、基本的にこれらで構成されてもよい。また本開示は、現在は実用新案登録請求されていないが将来実用新案登録請求される可能性がある他の考案を含む。
【図１】
0003215711.tif 000003
【図２】
0003215711.tif 000004
【図３】
0003215711.tif 000005
【図４ａ】
0003215711.tif 000006
【図４ｂ】
0003215711.tif 000007
【図５】
0003215711.tif 000008
【図６】
0003215711.tif 000009
【図７】
0003215711.tif 000010
【図８】
0003215711.tif 000011
【図９】
0003215711.tif 000012
【図１０】
0003215711.tif 000013
【図１１】
0003215711.tif 000014
【図１２ａ】
0003215711.tif 000015
【図１２ｂ】
0003215711.tif 000016
【図１３】
0003215711.tif 000017
【図１４】
0003215711.tif 000018
【図１５】
0003215711.tif 000019
【手続補正書】
【提出日】平成29年7月14日(2017.7.14)
【手続補正１】
【補正対象書類名】実用新案登録請求の範囲
【補正対象項目名】全文
【補正方法】変更
【補正の内容】
【実用新案登録請求の範囲】
【請求項１】
束を形成するために積層体で包まれた一群のタバコ産業製品と、この束を含む本体と、開閉位置間で回転する本体に取り付けられた蓋とを含み、
積層体は外層と内層とを含み、外層は第１の切れ目を有し、これはこれによって境界が定められる外層領域を画定し、内層は第２の切れ目を有し、これはこれによって境界が定められる内層領域を画定し、内層領域は外層領域内に位置し、
外層領域の一部は蓋の内側面に貼り付けられ、これにより蓋をその開いた位置に回転させた際に内層領域および外層領域が持ち上げられ、内層および外層が第１および第２の切れ目と積層体に形成される開口部との間の周辺領域で離層するパッケージ。
【請求項２】
積層体は蓋を閉じた位置に回転させた際に前記周辺領域が繰り返し接着するように内層と外層の間に粘着剤を含むことを特徴とする請求項１記載のパッケージ。
【請求項３】
蓋の内側面に貼り付けられる外層領域の部分に対応する積層体の部分は粘着剤が塗布されていないことを特徴とする請求項２記載のパッケージ。
【請求項４】
束は第１および第２の切れ目が延びる縁部を含み、開口部がその縁部に形成されるようにし、この縁部に対応する積層体の領域は粘着剤が塗布されないことを特徴とする請求項２または３記載のパッケージ。
【請求項５】
内層領域および外層領域は永久接着剤を使用して貼り付けられることを特徴とする請求項１乃至４いずれか１項記載のパッケージ。
【請求項６】
内層領域および外層領域を接着する永久接着剤は第２の切れ目に向かう方向に延びるジグザグ状の外形を含むパターンであることを特徴とする請求項５記載のパッケージ。
【請求項７】
外層領域の外面は蓋の内側面に取り付けられることを特徴とする請求項１乃至６いずれか１項記載のパッケージ。
【請求項８】
蓋の内側面に貼り付けられる外層領域の部分はタブを形成するために折り曲げられ、そのタブの内面は蓋の内側面に貼り付けられることを特徴とする請求項１乃至６いずれか１項記載のパッケージ。
【請求項９】
外層領域は折り曲げ線を含み、これに沿ってタブは外層領域の残りの部分に対して曲がることができることを特徴とする請求項８記載のパッケージ。
【請求項１０】
内層および外層は延伸ポリプロピレンを含むことを特徴とする請求項１乃至９いずれか１項記載のパッケージ。
【請求項１１】
積層体は内外層の間に配された第３の層を含み、第１の切れ目または第２の切れ目は第３の層を通って延びることを特徴とする請求項１乃至１０いずれか１項記載のパッケージ。
【請求項１２】
第３の層は金属箔を含むことを特徴とする請求項１１記載のパッケージ。
【請求項１３】
蓋の内側面に貼り付けられる外層領域の部分は、パッケージが開封される際に持ち上げられる内層領域および外層領域が外方に出っ張った形状を形成するように配置されることを特徴とする請求項１乃至１２いずれか１項記載のパッケージ。
【請求項１４】
蓋の内側面に貼り付けられる外層領域の部分は、パッケージが開封される際に持ち上げられる内層領域および外層領域が内方に凹んだ形状を形成するように配置されることを特徴とする請求項１乃至１３いずれか１項記載のパッケージ。
【請求項１５】
第１および第２の切れ目はレーザーで形成されることを特徴とする請求項１乃至１４いずれか１項記載のパッケージ。
【手続補正書】
【提出日】平成29年12月8日(2017.12.8)
【手続補正１】
【補正対象書類名】実用新案登録請求の範囲
【補正対象項目名】全文
【補正方法】変更
【補正の内容】
【実用新案登録請求の範囲】
【請求項１】
束を形成するために積層体で包まれた一群のタバコ産業製品と、この束を含む本体と、開閉位置間で回転する本体に取り付けられた蓋とを含み、
積層体は外層と内層とを含み、外層は第１の切れ目を有し、第１の切れ目はその第１の切れ目によって境界が定められる外層領域を画定し、内層は第２の切れ目を有し、第２の切れ目はその第２の切れ目によって境界が定められる内層領域を画定し、内層領域は外層領域内に位置し、
外層領域の一部は蓋の内側面に貼り付けられ、これにより蓋をその開いた位置に回転させた際に内層領域および外層領域が持ち上げられ、内層および外層が第１および第２の切れ目と積層体に形成される開口部との間の周辺領域で離層するパッケージ。
【請求項２】
積層体は蓋を閉じた位置に回転させた際に前記周辺領域が繰り返し接着するように内層と外層の間に粘着剤を含むことを特徴とする請求項１記載のパッケージ。
【請求項３】
蓋の内側面に貼り付けられる外層領域の部分に対応する積層体の部分は粘着剤が塗布されていないことを特徴とする請求項２記載のパッケージ。
【請求項４】
束は第１および第２の切れ目が延びる縁部を含み、開口部がその縁部に形成されるようにし、この縁部に対応する積層体の領域は粘着剤が塗布されないことを特徴とする請求項２または３記載のパッケージ。
【請求項５】
内層領域および外層領域は永久接着剤を使用して貼り付けられることを特徴とする請求項１乃至４いずれか１項記載のパッケージ。
【請求項６】
内層領域および外層領域を接着する永久接着剤は第２の切れ目に向かう方向に延びるジグザグ状の外形を含むパターンであることを特徴とする請求項５記載のパッケージ。
【請求項７】
外層領域の外面は蓋の内側面に取り付けられることを特徴とする請求項１乃至６いずれか１項記載のパッケージ。
【請求項８】
蓋の内側面に貼り付けられる外層領域の部分はタブを形成するために折り曲げられ、そのタブの内面は蓋の内側面に貼り付けられることを特徴とする請求項１乃至６いずれか１項記載のパッケージ。
【請求項９】
外層領域は折り曲げ線を含み、これに沿ってタブは外層領域の残りの部分に対して曲がることができることを特徴とする請求項８記載のパッケージ。
【請求項１０】
内層および外層は延伸ポリプロピレンを含むことを特徴とする請求項１乃至９いずれか１項記載のパッケージ。
【請求項１１】
積層体は内外層の間に配された第３の層を含み、第１の切れ目または第２の切れ目は第３の層を通って延びることを特徴とする請求項１乃至１０いずれか１項記載のパッケージ。
【請求項１２】
第３の層は金属箔を含むことを特徴とする請求項１１記載のパッケージ。
【請求項１３】
蓋の内側面に貼り付けられる外層領域の部分は、パッケージが開封される際に持ち上げられる内層領域および外層領域が外方に出っ張った形状を形成するように配置されることを特徴とする請求項１乃至１２いずれか１項記載のパッケージ。
【請求項１４】
蓋の内側面に貼り付けられる外層領域の部分は、パッケージが開封される際に持ち上げられる内層領域および外層領域が内方に凹んだ形状を形成するように配置されることを特徴とする請求項１乃至１２いずれか１項記載のパッケージ。
【請求項１５】
第１および第２の切れ目はレーザーで形成されることを特徴とする請求項１乃至１４いずれか１項記載のパッケージ。
【手続補正２】
【補正対象書類名】明細書
【補正対象項目名】０００３
【補正方法】変更
【補正の内容】
【０００３】
本考案の実施態様では束を形成するために積層体で包まれた一群のタバコ産業製品と、この束を含む本体と、開閉位置間で回転する本体に取り付けられた蓋とを含み、積層体は外層と内層とを含み、外層は第１の切れ目を有し、第１の切れ目はその第１の切れ目によって境界が定められる外層領域を画定し、内層は第２の切れ目を有し、第２の切れ目はその第２の切れ目によって境界が定められる内層領域を画定し、内層領域は外層領域内に位置し、外層領域の一部は蓋の内側面に貼り付けられ、これにより蓋をその開いた位置に回転させた際に内層領域および外層領域が持ち上げられ、内層および外層が第１および第２の切れ目と積層体に形成される開口部との間の周辺領域で離層する。
【手続補正３】
【補正対象書類名】明細書
【補正対象項目名】００２６
【補正方法】変更
【補正の内容】
【００２６】
図４ａおよび４ｂを参照して詳しく説明するようにバリアー材またはラッパーを形成する積層体材２は２つ以上の層を有する。本明細書で説明する実施態様ではラッパー１の積層体材２は第１の外層３と第２の内層４を有し、ラッパーが一群の紙巻きタバコに巻かれると、第１の層３は紙巻きタバコから離れる方に向く包装された束２２の外側に配置され、第２の層は紙巻きタバコの方に向いた包装された束２２の内側に位置する。
【手続補正４】
【補正対象書類名】明細書
【補正対象項目名】００４６
【補正方法】変更
【補正の内容】
【００４６】
図４Ａは図１〜３の例を参照して具体的に説明したように２つの層を有する積層体材２を有するラッパー１の断面を示している。即ち、積層体材２は内層４に結着された（積層された）外層３を有する。
【手続補正５】
【補正対象書類名】明細書
【補正対象項目名】００５１
【補正方法】変更
【補正の内容】
【００５１】
図示の例では外層３と第３の層２１は粘着「繰り返し粘着」剤を使用して接着され、内層４と第３の層２１は永久接着剤を使用して接着される。第１の切れ目５は外層３に設けられ、第２の切れ目６は内層４と第３の層２１の両方に設けられている。第１および第２の切れ目５、６は上述のようにオフセットしている。
【手続補正６】
【補正対象書類名】明細書
【補正対象項目名】００７８
【補正方法】変更
【補正の内容】
【００７８】
蓋３０は後壁３４を含み、これはヒンジ３５の周囲で本体２８にヒンジ式に取り付けられる。また蓋３０は後壁３４とは反対の積層体２が貼り付けられる前壁３６を有する。
【手続補正７】
【補正対象書類名】明細書
【補正対象項目名】００８４
【補正方法】変更
【補正の内容】
【００８４】
粘着剤は、開封した後、粘着剤が積層体材２の外層の残りの部分に残るように配置される。即ち、粘着剤は積層体材２が積層体を形成するために内層４（および他の層）を貼り付けて形成される前に外層３に設けられる。
【手続補正８】
【補正対象書類名】明細書
【補正対象項目名】０１０７
【補正方法】変更
【補正の内容】
【０１０７】
図１４に示す別の実施態様では、積層体材２に第２領域１２、特にカバーフラップ２０を形成する２つの層の間で（即ち図４ｂに示した例において外層３と第３の層２１との間で）永久接着剤領域４３を設けてもよい。このようにして第２領域１２は、カバーフラップ２０を開閉する際にカバーフラップ２０から外れないようにする。